(57)【要約】【課題】遊技性向上を図る。【解決手段】前方に開口する箱形状の内部空間１３を囲む部品本体１２が遊技領域から球を内部空間１３に排出する左右球通路２１；２２を備え、部品本体１２の底壁２３が光透過性を有する合成樹脂で構成され、複数の突起２３ａが底壁２３から上方に突出し、画像表示器２８が底壁２３の下部に設けられる一方、可変入賞口部２５が底壁２８の前側に設けられ、画像表示器２８で表示される画像２９と可変入賞口部２５の移動とが左右の横方向で互いに１組となって往復移動して、球の動きと画像表示器２８による演出とを同期させる。【選択図】図２
2005185403.tif 000002
【特許請求の範囲】
【請求項１】
前方に開口する箱形状の内部空間を囲む部品本体が遊技領域から球を内部空間に排出する球通路を備え、部品本体の底壁が光透過性を有する合成樹脂で構成され、複数の突起が底壁から上方に突出し、電気的に表示形態の変えられる画像を表示画面に表示する厚さの薄い面状表示器により形成された画像表示器が底壁の下部に設けられる一方、可変入賞口部が底壁の前側に設けられ、画像表示器で表示される画像と可変入賞口部の移動とが左右の横方向で一様な関係で往復移動することを特徴とするパチンコ機の画像表示入賞部品。
【請求項２】
底壁には内部空間よりも左右の横幅の小さい横長な板状の可動体が設けられ、底壁の外側面に取り付けられた駆動源で可動体が立ち上がり底壁を流れる球を受け止めて保留し、駆動源で可動体が底壁の側に倒れ底壁の収納部に取り込まれて、保留した球を下流側の底壁に放流することを特徴とする請求項１記載のパチンコ機の画像表示入賞部品。
【発明の詳細な説明】
【技術分野】
【０００１】
本発明は、遊技性が向上するパチンコ機の画像表示入賞部品に関する。
【背景技術】
【０００２】
パチンコ機の入賞部品には、次のような構造が知られている。その１つは、垂直に設置された画像表示器に画像を上から下に移動表示させ、遊技領域から球を案内レールに取り込んで、案内レールで球を画像表示器の下縁前側で一側端から他側端の入賞口部に案内する構造である。しかしながら、球が画像表示器の下縁前側で案内レールの上を横方向に移動するというように、球の動きが画一的で、球の動きと画像の動きとが分離しており、遊技性に欠けるという欠点がある。別の1つは、遊技盤の前面から奥に窪む前面に開口した四角な箱形状の内部空間を有する部品本体に、画像表示器を内部空間における奥に垂直に設置するとともに、内部空間の底部を奥から前側に行くにしたがって徐々に下る斜面として形成し、この斜面に障害突起と入賞口部とを設けた構造である。しかしながら、球の動きと画像の動きとが分離しており、遊技性に欠けるという欠点がある。
【特許文献１】特開平８−１２６７４７号公報
【特許文献２】特開２０００−１４８８７号公報
【発明の開示】
【発明が解決しようとする課題】
【０００３】
発明が解決しようとする問題点は、球の動きと画像の動きとが分離し、遊技性に欠けるという点である。
【課題を解決するための手段】
【０００４】
本発明に係るパチンコ機の画像表示入賞部品は、前方に開口する箱形状の内部空間を囲む部品本体が遊技領域から球を内部空間に排出する球通路を備え、部品本体の底壁が光透過性を有する合成樹脂で構成され、複数の突起が底壁から上方に突出し、電気的に表示形態の変えられる画像を表示画面に表示する厚さの薄い面状表示器により形成された画像表示器が底壁の下部に設けられる一方、可変入賞口部が底壁の前側に設けられ、画像表示器で表示される画像と可変入賞口部の移動とが左右の横方向で一様な関係で往復移動することを最も主要な特徴とする。底壁には内部空間よりも左右の横幅の小さい横長な板状の可動体が設けられ、底壁の外側面に取り付けられた駆動源で可動体が立ち上がり底壁を流れる球を受け止めて保留し、駆動源で可動体が底壁の側に倒れ底壁の収納部に取り込まれて、保留した球を下流側の底壁に放流したりすることも特徴とする。
【発明の効果】
【０００５】
本発明に係るパチンコ機の画像表示入賞部品は、球の動きと画像表示器による演出とを同期させることができ、遊技性を向上することができるという利点がある。駆動源で可動体を開閉すれば、可動体で保留した球を一度に放流して、可変入賞口部に球が入賞しやすくなり、遊技性が向上するという利点がある。
【発明を実施するための最良の形態】
【０００６】
図１−図６は、第１実施形態である。図１は、遊技盤１の正面を示す。図２は、画像表示入賞部品５の正面を示す。図３は、可動入賞口部２５の駆動機構３２を示す。図４は、画像表示入賞部品５の内部構造の断面を示す。図５は、制御系統を示す。図６は、制御処理を示す。
【０００７】
図１を参照し、遊技盤１の前側の構造について説明する。遊技盤１は、前面の外レール２と内レール３とからなるガイドレールで囲まれた内側の遊技領域４に、画像表示入賞部品５、回転体部６、大入賞口７、アウト口８、図外のサイドランプ、図外の風車、図外の多数本の障害釘とも呼ばれる遊技釘などを備える。回転体部６は、上部に球入口６ａを有する周壁で囲まれた内部空間に回転体６ｂを備える。回転体６ｂは、外周面から内部に窪む凹部６ｃを備える。回転体６ｂは、背面にステッピングモータを備え、常に遊技盤１の前側から見て左方向に回転している。遊技盤１が大当たり状態になった時に、遊技領域４から球入口６ａを経由して上部に位置する凹部６ｃに取り込まれた球は、左方向に回転している回転体６ｂと一緒に回転し、始動口６ｄと出合うと、凹部６ｃから外れ、始動口６ｄに取り込まれる。大入賞口７は、アタッカー７ａを備える。アタッカー７ａは、下部を開閉中心とし前側斜め上向きに開くとともに垂直に閉じる。アタッカー７ａは、始動口６ｄに球が入ることにより開き、回転体６ｂが１回転して球入口６ａの位置に凹部６ｃが出会った時に閉じる。
【０００８】
図２を参照し、画像表示入賞部品５の構造について説明する。画像表示入賞部品５は、部品本体１２を備える。部品本体１２は、前側から奥に窪む前面に開口した四角な箱形状の内部空間１３を囲む形状である。部品本体１２における内部空間１３の前側の内部空間１３からは、縁取部１４が、開口を囲む格好で、外側に突出する。縁取部１４の上部左右には、左右球入口１５；１６が形成される。内部空間１３を囲む部品本体１２の左右側壁１７；１８には、右球出口１９；２０が、奥に位置して、形成される。左球入口１５と左球出口１９とは、左球通路２１で、互いにつながっている。右球入口１６と右球出口２０とは、右球通路２２で、互いにつながっている。つまり、左球入口１５に入った球は、左球出口１９から内部空間１３の底壁２３の上に排出される。右球入口１６に入った球は、右球出口２０から内部空間１３の底壁２３の上に排出される。左右球入口１５；１６または左右球通路２１；２２には、左右通過球検出器２１Ａ；２１Ｂを個別に設ける。
【０００９】
底壁２３は、光透過性を有する合成樹脂の板状であって、奥から前側に行くにしたがって徐々に下る斜面として形成される。底壁２３からは、複数の突起２３ａが、上方に突出する。突起２３ａは底壁２３の上を流下する球が衝突すると、衝突した球の流れる方向を変える。底壁２３よりも前側には、可動入賞口部２５が左右の横方向に往復移動可能に配置される。可動入賞口部２５は内部に可動入賞球検出器２６を備える。可動入賞口部２５よりも前側には、部品本体１２における内部空間１３の左右側壁１７；１８に連接された前壁２７が、配置される。底壁２３の下方外側には、画像表示器２８が、表示画面を底壁２３のほうに向けた格好で、取り付けられる。画像表示器２８は、液晶表示器のような、電気的に表示形態の変えられる画像を表示画面に表示する厚さの薄い面状表示器により形成される。つまり、画像表示器２８の表示画面に映し出された画像２９が、画像表示入賞部品５の前側から、光透過性の合成樹脂からなる底壁２３を通して、見える。つまり、画像表示器２８は底壁２３の傾斜に合わせるように底壁２３の裏面に配置される。縁取部１４の後縁からは、取付部３０が、横方向に向けて突出する。取付部３０は、画像表示入賞部品５を、図１の遊技盤１に取り付けるものであって、ねじ挿入孔３１を備える。画像表示器２８および可動入賞口部２５は、図５に示す制御装置５５によって次のように制御される。つまり、画像表示器２８の表示画面に表示される画像２９と可動入賞口部２５とが互いに左右の横方向に往復移動する。
【００１０】
図３を参照し、可動入賞口部２５の駆動機構３２について説明する。可動入賞口部２５は、レバー軸３３を中心として左右の横方に往復移動可能なレバー３４の前端に設けられる。レバー３４の後端には、従動歯車３５が、レバー軸３３を中心とする１つの円周上に位置して、設けられる。従動歯車３５には、出力軸３６に結合した駆動歯車３７が噛み合わせられる。したがって、駆動歯車３７が一方向に回転すると、可動入賞口部２５がレバー３４によって、例えば左から右に移動し、駆動歯車３７が他方向に回転すると、可動入賞口部２５がレバー３４によって、例えば右から左に移動する。つまり、出力軸３６の回転によって、可動入賞口部２５が左右の横方向に往復移動する。
【００１１】
図４を参照し、画像表示入賞部品５の内部構造について説明する。可動入賞口部２５は、上方から入った球を下方に排出する筒状である。レバー軸３３およびステップモータ４２が、画像表示器２８の下部に設置された取付板４３に取り付けられる。ステップモータ４２は駆動歯車３７を回転する駆動源である。出力軸３６は、ステップモータ４２により回転される。前壁２７よりも下部における縁取部１４には、可動入賞口部２５から排出され球を捕捉して裏側に排出する排出口部４４が、設けられる。排出口部４４には、カウント球検出器４５が、設けられる。遊技盤１には、逃孔４６が、前後面に貫通する。そして、画像表示入賞部品５における部品本体１２の後側が、遊技盤１の前側から逃孔４６に挿入され、タッピングスクリューからなる木ねじのような止ねじ４７が取付部３０の図２に示すねじ挿入孔３１から遊技盤１に締結されることによって、画像表示入賞部品５が、遊技盤１に取り付けられる。このように、画像表示入賞部品５が遊技盤１に取り付けられることによって、逃孔４６は、取付部３０で、塞がれて、前側から見えなくなる。
【００１２】
図５を参照し、制御装置５５について説明する。制御装置５５は、遊技盤１の裏面または遊技盤１を格納する遊技機枠の裏面に設けられる。制御装置５５には、左右通過球検出器２１Ａ；２１Ｂから球通路入賞信号、可動入賞球検出器２６から可動入賞信号、カウント球検出器４５からカウント入賞信号、始動口６ｄに入賞した球を検出する当たり入賞球検出器５０から当たり入賞信号、可変入賞部品の内部の普通入賞口に入賞した球を検出する普通入賞球検出器５３から普通入賞信号が入力されると、制御装置５５のマイクロコンピュータが、ＲＯＭに格納されたプログラムに基づき、ＲＡＭを用いて、図６の処理を実行し、その実行結果として、ステップモータ４２、画像表示器２８、回転体６ｂを駆動するステップモータ５１、アタッカー７ａを駆動する電磁ソレノイド５４を制御する。
【００１３】
図２と図５および図６を参照し、実施形態の動作について説明する。遊技盤（図１参照）を装着した図外の遊技機枠の発射機構から遊技領域４に発射された球が、画像表示入賞部品５の左右球通路２１；２２のいずれかに入り、左右通過球検出器２１Ａ；２１Ｂから球通路入賞信号が制御装置５５に入力されると、制御装置５５が画像表示器２８およびステップモータ４２を駆動する。これによって、制御装置５５が画像２９と可動入賞口部２５を左右に動かす。そして、上記可動入賞口部２５の移動開始から制御装置５５に設定された設定時間内において、左右球通路２１；２２のいずれかから底壁２３に排出された球が、底壁２３を流下して画像表示入賞部品５の排出口部４４に入ると、カウント球検出器からカウント入賞信号が制御装置５５に入力され、制御装置５５が上記画像表示器２８の画像２９と可動入賞口部２５による左右への移動を停止して画像表示器２８に外れ演出を表示させる。上記設定時間内において、左右球通路２１；２２のいずれかから底壁２３に排出された球が、底壁２３を流下して可動入賞口部２５に入ると、可動入賞球検出器２６から可動入賞信号が制御装置５５に入力され、制御装置５５が画像表示器２８に大当たり演出を表示させる。大当たり後は遊技領域４の右側を狙って球を発射する。回転中の回転体６ｂにおける凹部６ｃに取り込まれた球が、始動口６ｄに入ると、入賞球検出器５０から入賞信号が制御装置５５に入力され、制御装置５５が大入賞口７の電磁ソレノイド５４を駆動する。これによって、アタッカー７ａが開く。そして、制御装置５５が、回転体６ｂの１回転を検出するか、または、カウント球検出器４５から入力されたカウント入賞信号をカウントアップした値が制御装置５５に設定された「１０個」のような設定値に到達すると、制御装置５５が上記電磁ソレノイド５４の駆動を停止してアタッカー７ａを閉じる。上記回転体６ｂの１回の回転とアタッカー７ａの１回の開閉との動作は、制御装置５５に設定された「１５回」のよう設定回数まで繰り返される。
【００１４】
図６を参照し、制御装置５５の制御動作について説明する。球が画像表示入賞部品５の左右球通路２１；２２のいずれかに入り、制御装置５５が球通路入賞信号の入力を検出すると、ステップ１０１がＹＥＳとなり、ステップ１０２に進む。ステップ１０２では、画像２９と可動入賞口部２５とを左右に動かす。そして、設定時間内に、球が画像表示入賞部品５の可動入賞口部２５に入り、制御装置５５が可動入賞信号の入力を検出すると、ステップ１０３がＹＥＳとなり、ステップ１０４に進む。ステップ１０４では、画像表示器２８を大当たり演出するように制御する。ステップ１０３で可動入賞しなかった場合、ステップ１０８に進み、画像２９と可動入賞口部２５の動きを停止する。球が始動口６ｄに入り、制御装置５５が入賞信号の入力を検出すると、ステップ１０５がＹＥＳとなり、ステップ１０６に進む。ステップ１０６では、大入賞口７のアタッカー７ａを開閉する。そして、制御装置５５が１回の制御処理を終わる。
【００１５】
第１実施形態によれば、画像表示入賞部品５の内部空間１３を囲む部品本体１２の底壁２３が光透過性を有する合成樹脂で構成され、複数の突起２３ａが底壁２３から上方に突出し、画像表示器２８が底壁２３の下部に設けられる一方、可動入賞口部２５が底壁２３８の前側に設けられ、画像表示器２８で表示される画像２９と可動入賞口部２５の移動とが左右の横方向で一様な関係で往復移動する構造であるので、球の動きと画像表示器２８による演出とを同期させることができ、遊技性を向上することができるという利点がある。
【００１６】
図７および図８は、第２実施形態である。図７は、画像表示入賞部品５の正面を示す。図８は、画像表示入賞部品５の内部構造の断面を示す。図７に示すように、縁取部１４における左右側部には、左右球入口１５；１６とに左右羽根５７；５８とが設けられる。左右羽根５７；５８は、部品本体１２の裏面に設けられた図外の電磁ソレノイドで駆動して、左右球入口１５；１６を開閉する。つまり、左右羽根５７；５８が、下部を開閉中心として斜め左右に開くと、球が図１に示す遊技領域４から左右羽根５７；５８で拾われて左右球入口１５；１６に入る。左右羽根５７；５８が、左右球入口１５；１６を閉じると、遊技領域４から球が左右球入口１５；１６に入らない。図８に示すように、底壁２３には、内部空間１３よりも左右の横幅の小さい横長な板状の可動体２４が、突起２３ａと右球出口１９；２０との間に位置して、設けられる。可動体２４の手前側下部が、底壁２３に、可動体軸３９で、上下方向に開閉可能に連結される。そして、底壁２３の外側面に取り付けられた電磁ソレノイドにより形成された駆動源４０で、可動体２４を上方に開くと、左右球出口１９；２０から排出された球を受け止めて保留し、駆動源４０で、可動体２４を下方に閉じると、底壁２３の収納部４１に取り込まれて、可動体２４の上面と底壁２３の上面とが同一面内に位置し、保留した球を複数の突起２３ａの方向に向けて放流する。可動体２４が開いた場合、可動体２４と左右側壁１７；１８との間は、１個の球の直径よりも大きい。つまり、左右球出口１９；２０か底壁２３に排出された球が、開いた可動体２４と左右側壁１７；１８との間を通過し得る。
【００１７】
第２実施形態では、図１の遊技領域４に図外の始動入賞部品を設ける。そして、球が始動入賞部品に入り、始動入賞部品に入賞した球を検出した図外の始動入賞球検出器が、始動入賞信号を、図５示す制御装置５５に相当する図外の制御装置に出力すると、制御装置５５が左右羽根５７；５８の電磁ソレノイドを駆動し、左右羽根５７；５８が開閉する。左右羽根５７；５８の開放中に、球が画像表示入賞部品５の左右球通路２１；２２のいずれかに入り、制御装置が、球通路入賞信号の入力を検出すると、画像２９と可動入賞口部２５とを左右に動かす。そして、設定時間内に、球が画像表示入賞部品５の可動入賞口部２５に入り、制御装置５５が可動入賞信号の入力を検出すると、画像表示器２８を大当たり演出するように制御する。その状態において、左右球通路２１；２２への球の入賞個数が制御装置に設定された規定個数になるか、または、左右羽根５７；５８の開閉回数が制御装置に設定された規定個数になるまで、制御装置が、左右羽根５７；５８が開閉するとともに、駆動源４０を駆動して可動体２４を上方に開く。この左右羽根５７；５８が開閉するとともに可動体２４を上方に開く遊技が、大当たりである。その後、制御装置が左右羽根５７；５８とともに可動体２４を下方に閉じる。これによって、可動体２４で保留された球が放流される。この球が可動入賞口部２５に入り、制御装置５５が可動入賞信号の入力を検出すると、制御装置が画像表示器２８のよる大当たり演出と大当たり遊技とを再び行う。この大当たり演出および大当たり遊技は、保留された球が可動入賞口部２５に入るたびに繰り返されるが、その繰り返される回数は、制御装置に設定された規定回数までである。第２実施形態によれば、可動体２４で保留した球を一度に放流するので、大当たり遊技が継続しやすくなり、遊技性が向上するという利点がある。
【産業上の利用可能性】
【００１８】
左右球通路１２；２２の少なくとも一方を内部空間１３の奥を囲む部品本体１２の背壁の前に配置し、当該左右球通路１２；２２の左右球出口１９；２０の一方を背壁の左右方向中央に配置してもよい。背壁に画像表示器２８と別の図柄表示器を配置してもよい。
【図面の簡単な説明】
【００１９】
【図１】遊技盤を示す正面図（第１実施形態）。
【図２】画像表示入賞部品を示す正面図（第１実施形態）。
【図３】可動入賞口部の駆動機構を示す平面図（第１実施形態）。
【図４】画像表示入賞部品の内部構造を示す断面図（第１実施形態）。
【図５】制御系統を示すブロック図（第１実施形態）。
【図６】フローチャート（第１実施形態）。
【図７】画像表示入賞部品を示す正面図（第２実施形態）。
【図８】画像表示入賞部品の内部構造を示す断面図（第２実施形態）。
【符号の説明】
【００２０】
４      遊技領域
５      画像表示入賞部品
１２    部品本体
１３    内部空間
２１    球通路
２２    球通路
２３    底壁
２３ａ  突起
２４    可動体
２５    可変入賞口部
２８    画像表示器
４０    駆動源
【図１】
2005185403.tif 000003
【図２】
2005185403.tif 000004
【図３】
2005185403.tif 000005
【図４】
2005185403.tif 000006
【図５】
2005185403.tif 000007
【図６】
2005185403.tif 000008
【図７】
2005185403.tif 000009
【図８】
2005185403.tif 000010